(57)【要約】【課題】現状の電圧計算法の技術的資産やプログラム資産を活用でき、分散電源を含む異なる負荷特性や電圧管理のための電圧制御を行うSVRなどを取り扱い可能にする。【解決手段】木構造の配電系統の各ノードに与えられた電圧および負荷特性値から各ノードの負荷電流を計算する(S102)。次に、各ノードの負荷電流を当該ノードの親ノードの枝電流として割り当て(S103)、ノードレベルの高い順のノードから、当該ノードの親ノードに割り当てられた枝電流を当該親ノードの枝電流に順次加算する(S104)。次に、ノードレベルの低い順のノードから、当該ノードの親ノードの電圧と枝電流と線路インピーダンスとから各ノードの電圧を順次計算し(S105)、各ノードの電圧が収束したか否かを判定する(S106)。各ノードの電圧が収束していない場合には処理を繰り返し、各ノードの電圧が収束している場合には、各ノードの電圧を配電系統電圧分布として出力する。【選択図】図５
2019176586.tif 000002
【特許請求の範囲】
【請求項１】
電流を潮流量とした木構造の配電系統電圧分布計算装置であって、
各ノードに対して与えられた電圧および負荷特性値から各ノードの負荷電流を計算する負荷電流計算手段と、
各ノードの負荷電流を当該ノードの親ノードとの枝電流として割り当てる割当手段と、
ノードレベルの高い順のノードから、当該ノードの親ノード間の枝に割り当てられた枝電流を当該親ノードの枝電流に順次加算する枝電流計算手段と、
ノードレベルの低い順のノードから、当該ノードの親ノードの電圧と枝電流と枝に与えられた線路インピーダンスとから各ノードの電圧を順次計算する電圧計算手段と、
各ノードの電圧が収束したか否かを判定する収束判定手段を備え、
各ノードの電圧が収束していないと判定された場合には、前記電圧計算手段により計算された各電圧を各ノードに与えて前記負荷電流計算手段からの処理を繰り返し実行し、各ノードの電圧が収束したと判定された場合には、前記電圧計算手段により計算された各ノードの電圧を配電系統電圧分布として出力することを特徴とする木構造の配電系統電圧分布計算装置。
【請求項２】
さらに、木構造で構成される配電系統の根ノードに予め与える基準電圧や各ノードに予め与えられる負荷特性値や各枝に予め与えられる線路インピーダンスおよび前記収束判定手段での判定基準を入力する入力手段と、配電系統の接続形態と各ノードのノードレベル、各ノードの負荷特性値と線路インピーダンス、各ノードに与える初期電圧、前記収束判定手段での判定基準、前記各手段での計算および判定とお  の途中および最終の計算結果および判定結果を記憶する記憶手段と、配電系統電圧分布の結果を表示する表示部と、配電系統電圧分布計算装置全体を制御する制御手段を備えたことを特徴とする請求項１に記載の木構造の配電系統電圧分布計算装置。
【請求項３】
各ノードに対して与えられる負荷特性値は、複素電力値で与られる定電力特性、複素インピーダンス値で与えられる定インピーダンス特性、複素電流値で与えられる定電流特性、電源特性として複素電力値で与えられる定電力電源特性および複素電流値で与えられる定電流電源特性の５つの特性値のうちの少なくとも何れか１つの、あるいは負荷特性なしであり、前記負荷電流計算手段は、複数の負荷特性値が与えられノードについての負荷電流を各負荷特性値から計算される各負荷電流の合計として当該ノードの負荷電流を計算することを特徴とする請求項１または２に記載の木構造の配電系統電圧分布計算装置。
【請求項４】
前記収束判定手段は、前記電圧計算手段により計算された各ノードの電圧とそれより前に計算された各ノードの電圧との変化幅、前記負荷電流計算手段により計算された各ノードの負荷電流とそれより前に計算された各ノードの負荷電流との変化幅または前記枝電流計算手段により計算された各ノードの枝電流とそれより前に計算された各ノードの枝電流との変化幅が所定の閾値より小さくなったとき、または、各ノードの電圧、各ノードの負荷電流または各ノードの枝電流と所定の設定値との誤差が所定の閾値より小さくなったとき、あるいは、予め与えられた負荷特性値と同じノードの電圧と負荷電流とから計算される負荷特性値との誤差が所定の閾値より小さくなったとき、各ノードの電圧が収束したと判定することを特徴とする請求項１ないし３のいずれか１つに記載の木構造の配電系統電圧分布計算装置。
【請求項５】
前記枝電流計算手段は、各ノードをレベルの高い順にソートし、最も高いレベルのノードからレベルの低いノードの順に各枝電流を計算することを特徴とする請求項１ないし４のいずれか１つに記載の木構造の配電系統電圧分布計算装置。
【請求項６】
前記電圧計算手段は、各ノードをレベルの低い順にソートし、最も低いレベルのノードからレベル高いノードの順に各電圧を計算することを特徴とする請求項１ないし５のいずれか１つに記載の木構造の配電系統電圧分布計算装置。
【請求項７】
電圧調整装置を、一対のノード間に挿入された対親ノード、対子ノードおよび前記対親ノードと前記対子ノードの間の枝で表し、前記対子ノードに電圧調整の変圧比αを設定し、前記枝に線路インピーダンスの代わりに前記電圧調整装置の配電線に直列に挿入される直列インピーダンスを設定し、対親ノードに負荷特性値の代わりに前記電圧調整装置の線間に挿入される並列インピーダンスを設定し、前記負荷電流計算手段は、前記対子ノードの負荷電流を零とし、前記対親ノードの負荷電流を前記並列インピーダンスで計算し、前記割当手段は、前記対親ノードの親ノードの枝電流として前記並列インピーダンスにより計算された負荷電流を割り当て、前記枝電流計算手段は、前記対親ノードの枝電流を、前記対子ノードの枝電流と変圧比αから、（対親ノードの枝電流）＝α・（対子ノードの枝電流）で計算し、また、前記親ノードの枝電流を、対親ノードの負荷電流と枝電流から、（親ノードの枝電流）＝（対親ノードの負荷電流）＋（対親ノードの枝電流）で計算し、前記電圧計算手段は、前記対子ノードの電圧を、前記直列インピーダンスと前記対親ノードの枝電流と前記対親ノードの電圧と変圧比αから、（対子ノードの電圧）＝α・｛（対親ノードの電圧）−（前記直列インピーダンス）・（対親ノードの枝電流）｝で計算することを特徴とする請求項１ないし６のいずれか１つに記載の木構造の配電系統電圧分布計算装置。
【請求項８】
電流を潮流量とした木構造の配電系統電圧分布計算方法であって、
負荷電流計算手段が、各ノードに対して与えられた電圧および負荷特性値から各ノードの負荷電流を計算する第１のステップと、
割当手段が、各ノードの負荷電流を当該ノードの親ノード間の枝の枝電流として割り当てる第２のステップと、
枝電流計算手段が、ノードレベルの高い順のノードから、当該ノードの親ノード間に割り当てられた枝電流を当該親ノードの親ノード間の枝電流に順次加算する第３のステップと、
電圧計算手段が、ノードレベルの低い順のノードから、当該ノードの親ノードの電圧と枝電流と線路インピーダンスとから各ノードの電圧を順次計算する第４のステップと、
収束判定手段が、各ノードの電圧が収束したか否かを判定する第５のステップを有し、
各ノードの電圧が収束していないと判定された場合には、前記第４のステップで計算された各電圧を各ノードに与えて前記第１のステップからの処理を繰り返し実行し、各ノードの電圧が収束したと判定された場合には、前記第３のステップにより計算された各ノードの電圧を配電系統電圧分布として出力することを特徴とする木構造の配電系統電圧分布計算方法。
【請求項９】
電流を潮流量とした木構造の配電系統電圧分布計算用のプログラムであって、コンピュータを、
各ノードに対して与えられた電圧および負荷特性値から各ノードの負荷電流を計算する負荷電流計算手段、
各ノードの負荷電流を当該ノードの親ノードの枝電流として割り当てる割当手段、
ノードレベルの高い順のノードから、当該ノードの親ノード間に割り当てられた枝電流を当該親ノードの親ノード間の枝電流に順次加算する枝電流計算手段、
ノードレベルの低い順のノードから、当該ノードの親ノードの電圧と枝電流と線路インピーダンスとから各ノードの電圧を順次計算する電圧計算手段、
各ノードの電圧が収束したか否かを判定する収束判定手段として機能させ、
各ノードの電圧が収束していないと判定された場合には、前記電圧計算手段により計算された各電圧を各ノードに与えて前記負荷電流計算手段からの処理を繰り返し実行させ、各ノードの電圧が収束したと判定された場合には、前記電圧計算手段により計算された各ノードの電圧を配電系統電圧分布として出力させるプログラム。
【発明の詳細な説明】
【技術分野】
【０００１】
本発明は、木構造（放射状）の配電系統電圧分布計算装置、方法およびプログラムに関し、特に、現状の電圧計算法の技術的資産やプログラム資産を活用でき、また、需要家が使用する分散電源を含む異なる負荷特性値を取り扱うことができ、さらに、電圧管理のための電圧制御を行うＳＶＲ（Ｓｔｅｐ Ｖｏｌｔａｇｅ Ｒｅｇｕｌａｔｏｒ）などの電圧調整装置を取り扱うことができるようにした木構造の配電系統電圧分布装置、方法およびプログラムに関する。
【背景技術】
【０００２】
特許文献１には、配電系統において、木構造（放射状）の構造を活用した短時間で実行可能な潮流計算装置が記載されている。この潮流計算装置では、流出有効電力と無効電力などを上流の先頭ノードから下流の末端ノードまで計算（前進計算）し、末端ノードでの流出電力はないという前提で、末端から上流側へ流出有効電力と無効電力の誤差量を修正（後進計算）するようにして、木構造の配電系統を対象にして潮流計算を行う。この手法は、電力を潮流とする方式であり、Ｎ−Ｒ法を配電系統用に発展させたＤｉｓｔ Ｆｌｏｗ法を基礎としている。Ｄｉｓｔ Ｆｌｏｗ法については、非特許文献１に記載されている。
【０００３】
非特許文献１には、ＦＤ２法として電流を潮流とする配電系統の潮流計算の手法が記載されている。この手法では、偏微分行列を用いるニュートン・ラフソン法で上位の変電所からの電流と線路インピーダンスにより末端から順に電圧を算出する。
【先行技術文献】
【特許文献】
【０００４】
【特許文献１】特開平８−２１４４５８号公報（特許第３３１２５２２号）
【非特許文献】
【０００５】
【非特許文献１】大吉亘  森啓之：「放射状配電系統における新しい電力潮流計算」，電学論Ｂ，１２６巻３号  ｐｐ２９０−２９６，２００６年
【非特許文献２】田中将  上村敏  小林広武：「センサー開閉器情報に基づく配電系統の電圧推定法」，電中研研究報告Ｒ０４０１１，ｐｐ１−２０，平成１７年１０月  （財）電力中央研究所
【発明の概要】
【発明が解決しようとする課題】
【０００６】
非特許文献２に記載されている現状の電圧管理の手法では、この手法は、変電所や系統に設置されているセンサー機能付開閉器で計測された送出電圧と電流を活用し、電流を主体とした線路インピーダンスによる電圧降下量を計算し、その積み上げで各地点の電圧を算定するものであり、電流が順潮流方向にのみ流れることを前提とするものであるので、非特許文献２，ｐｐ１−２に記載されているように、分散電源などが導入された逆潮流には適用できない。
特許文献１に記載されている潮流計算装置は、潮流を電力量として処理するものであり、負荷特性値も電力量として取り扱われる。配電線に近年多く接続されている分散電源も電力量として取り扱われるため、ここでは、配電線においても電力を潮流として潮流計算を行う。
【０００７】
非特許文献１pp292-293に記載されているFD2法の潮流計算の手法では、偏微分行列を用いるニュートン・ラフソン法で末端から順に電圧を算出するので、収束の行列計算が複雑になるという
課題がある。
【０００８】
運用上、現状の配電系統の電圧計算法を活かした逆潮流に適用できる手法があれば、現状の電圧計算法の技術的資産およびプログラム資産を活用できるので、非常に有効である。
【０００９】
また、配電系統は直接需要家と直結しており、その需要家が使用する負荷の負荷特性は、負荷の種類により異なるので、それらの異なる負荷特性への対応が望まれる。
【００１０】
図９は、負荷の種類により負荷特性が異なることを示す。図９に示すように、配電線により電力が供給されている需要家で使用されている負荷の負荷特性は、例えば、電熱器、電球照明、進相コンデンサなどの定インピーダンス特性、アーク灯、電気メッキ装置、蛍光灯、水銀灯などの定電流特性、誘導電動機、インバータエアコン、ＴＶ、分散電源などの定電力特性などと、異なる３種類の負荷特性があり、さらに、充放電を行う蓄電池を含む分散電源を電力量として取り扱うことや電流源としての電源を取り扱う必要があるかも知れない。つまり、負荷特性値としては５つの特性を取り扱う必要がある。
【００１１】
また、潮流計算を行うノードや配電線の所定区間などの電圧管理を行う箇所においては、１つの負荷特性だけでなく、上記５つの負荷特性のうちの複数の負荷特性を持つ場合もある。したがって、１つのノードで１つの負荷特性を取り扱うだけでは十分でなく、１つのノードで上記の５つの異なった複数の負荷特性を取り扱えるようにすることが望まれる。
【００１２】
さらに、配電線での命題である電圧管理のための電圧制御を行うＳＶＲ（Ｓｔｅｐ Ｖｏｌｔａｇｅ Ｒｅｇｕｌａｔｏｒ）などの電圧調整装置や、充電や放電といった複数の機能を有する蓄電池装置なども考慮して潮流計算を行うことができるようにすることが望ましい。
【００１３】
本発明の目的は、上記課題を解決し、現状の電圧計算法の技術的資産やプログラム資産を活用でき、また、需要家が使用する分散電源を含む異なる負荷特性、さらに電圧管理のための電圧制御を行うＳＶＲ（Ｓｔｅｐ Ｖｏｌｔａｇｅ Ｒｅｇｕｌａｔｏｒ）などの電圧調整装置を取り扱うことができるようにした木構造の配電系統電圧分布装置、方法およびプログラムを提供することにある。
【課題を解決するための手段】
【００１４】
上記課題を解決するため、本発明の木構造の配電系統電圧分布計算装置は、各ノードに対して与えられた電圧および負荷特性値から各ノードの負荷電流を計算する負荷電流計算手段と、各ノードの負荷電流を当該ノードの親ノードとの枝電流として割り当てる割当手段と、ノードレベルの高い順のノードから、当該ノードの親ノード間の枝に割り当てられた枝電流を当該親ノードの枝電流に順次加算する枝電流計算手段と、ノードレベルの低い順のノードから、当該ノードの親ノードの電圧と枝電流と枝に与えられた線路インピーダンスとから各ノードの電圧を順次計算する電圧計算手段と、各ノードの電圧が収束したか否かを判定する収束判定手段を備え、各ノードの電圧が収束していないと判定された場合には、前記電圧計算手段により計算された各電圧を各ノードに与えて前記負荷電流計算手段からの処理を繰り返し実行し、各ノードの電圧が収束したと判定された場合には、前記電圧計算手段により計算された各ノードの電圧を配電系統電圧分布として出力することを特徴としている。
【００１５】
また、本発明の木構造の配電系統電圧分布計算装置は、さらに、木構造で構成される配電系統の根ノードに予め与える基準電圧や各ノードに予め与えられる負荷特性値や各枝に予め与えられる線路インピーダンスおよび前記収束判定手段での判定基準を入力する入力手段と、配電系統の接続形態と各ノードのノードレベル、各ノードの負荷特性値と線路インピーダンス、各ノードに与える初期電圧、前記収束判定手段での判定基準、前記各手段での計算および判定とお  の途中および最終の計算結果および判定結果を記憶する記憶手段と、配電系統電圧分布の結果を表示する表示部と、配電系統電圧分布計算装置全体を制御する制御手段を備えることを特徴としている。
【００１６】
また、本発明の木構造の配電系統電圧分布計算装置は、各ノードに対して与えられる負荷特性値が、複素電力値で与られる定電力特性、複素インピーダンス値で与えられる定インピーダンス特性、複素電流値で与えられる定電流特性、電源特性として複素電力値で与えられる定電力電源特性および複素電流値で与えられる定電流電源特性の５つの負荷特性値のうちの少なくとも何れか１つの、あるいは負荷特性値なしであり、前記負荷電流計算手段は、複数の負荷特性値が与えられノードについての負荷電流を各負荷特性値から計算される各負荷電流の合計として当該ノードの負荷電流を計算することを特徴としている。
【００１７】
また、本発明の木構造の配電系統電圧分布計算装置は、前記収束判定手段が、前記電圧計算手段により計算された各ノードの電圧とそれより前に計算された各ノードの電圧との変化幅、前記負荷電流計算手段により計算された各ノードの負荷電流とそれより前に計算された各ノードの負荷電流との変化幅または前記枝電流計算手段により計算された各ノードの枝電流とそれより前に計算された各ノードの枝電流との変化幅が所定の閾値より小さくなったとき、または、各ノードの電圧、各ノードの負荷電流または各ノードの枝電流と所定の設定値との誤差が所定の閾値より小さくなったとき、あるいは、予め与えられた負荷特性値と同じノードの電圧と負荷電流とから計算される負荷特性値との誤差が所定の閾値より小さくなったとき、各ノードの電圧が収束したと判定することを特徴としている。
【００１８】
また、本発明の木構造の配電系統電圧分布計算装置は、前記枝電流計算手段が、各ノードをレベルの高い順にソートし、最も高いレベルのノードからレベルの低いノードの順に各枝電流を計算することを特徴としている。
【００１９】
また、本発明の木構造の配電系統電圧分布計算装置は、前記電圧計算手段が、各ノードをレベルの低い順にソートし、最も低いレベルのノードからレベル高いノードの順に各電圧を計算することを特徴としている。
【００２０】
さらに、本発明の木構造の配電系統電圧分布計算装置は、電圧調整装置を、一対のノード間に挿入された対親ノード、対子ノードおよび前記対親ノードと前記対子ノードの間の枝で表し、前記対子ノードに電圧調整の変圧比αを設定し、前記枝に線路インピーダンスの代わりに前記電圧調整装置の配電線に直列に挿入される直列インピーダンスを設定し、対親ノードに負荷特性値の代わりに前記電圧調整装置の線間に挿入される並列インピーダンスを設定し、前記負荷電流計算手段は、前記対子ノードの負荷電流を零とし、前記対親ノードの負荷電流を前記並列インピーダンスで計算し、前記割当手段は、前記対親ノードの親ノードの枝電流として前記並列インピーダンスにより計算された負荷電流を割り当て、前記枝電流計算手段は、前記対親ノードの枝電流を、前記対子ノードの枝電流と変圧比αから、（対親ノードの枝電流）＝α・（対子ノードの枝電流）で計算し、また、前記親ノードの枝電流を、対親ノードの負荷電流と枝電流から、（親ノードの枝電流）＝（対親ノードの負荷電流）＋（対親ノードの枝電流）で計算し、前記電圧計算手段は、前記対子ノードの電圧を、前記直列インピーダンスと前記対親ノードの枝電流と前記対親ノードの電圧と変圧比αから、（対子ノードの電圧）＝α・｛（対親ノードの電圧）−（前記直列インピーダンス）・（対親ノードの枝電流）｝で計算することを特徴としている。
【００２１】
なお、本発明は、木構造の配電系統電圧分布計算装置としてだけでなく、木構造の配電系統電圧分布計算方法、コンピュータ・プログラムとしても実現することができものである。
【発明の効果】
【００２２】
従来技術の潮流計算では、電力を潮流として処理し、負荷特性や線路損失も電力として取り扱うので、その切り分けが困難であるが、本発明では，木構造の配電系統の潮流計算の潮流を電力でなく電流とすることにより、負荷特性を電流で示すことができ、線路損失を線路インピーダンスと電流による電圧の増減として分離して示すことができる。また、現状の電圧計算法の技術的およびプログラム資産を活用できる。
【００２３】
さらに、本発明によれば、需要家が使用する分散電源を含む異なる負荷特性を取り扱うことができ、また、電圧管理制御に必要なＳＶＲ（Ｓｔｅｐ Ｖｏｌｔａｇｅ Ｒｅｇｕｌａｔｏｒ）や充電や放電といった複数の機能を有する蓄電池装置などを負荷特性として取り扱うことができるので、これらを含めて、木構造の配電系統の電圧分布計算を行うことができる。なお、無効電力を制御する静止型無効電力補償装置（ＳＶＣ：Ｓｔａｔｉｃ Ｖａｒ Ｃｏｍｐｅｎｓａｔｏｒ）などのＳＶＲ以外の装置は配電線の線間に設置されるので、負荷特性として表現できる。
【００２４】
また、各ノードに与えられる負荷特性を、例えば、定電力特性や定電流特性、定インピーダンス特性などの異なる負荷特性を１つの負荷特性に統一して均一化する必要はなく、各ノードでは異なる負荷特性を任意に選定することができ、また、１つのノードに複数の負荷特性を与えたり、負荷特性を与えなかったりすることもできる。
【図面の簡単な説明】
【００２５】
【図１】本発明を適用できる木構造の配電系統の構成を概略的に示す図である。
【図２】図１の木構造の配電系統の各ノード(母線)のレベルを示す図である。
【図３】本発明に係る木構造の配電系統電圧分布計算装置の一実施形態を示すブロック図である。
【図４】図１の木構造の配電系統に対して予め与えられる各種値を示す図である。
【図５】図３の木構造の配電系統電圧分布計算装置の動作を示すフローチャートである。
【図６】電圧調整装置（ＳＶＲ）を考慮した場合の配電系統の構成を示す図である。
【図７】本発明の配電系統電圧分布計算手法の適用事例を示す図である。
【図８】本発明の配電系統電圧分布計算手法と一般的な電力潮流計算手法との比較結果を示す図である。
【図９】負荷の種類による異なる負荷特性を示す図である。
【発明を実施するための形態】
【００２６】
まず、木構造の配電系統について説明する。図１は、本発明を適用できる木構造の配電系統の構成を概略的に示す図である。
【００２７】
図１に示すように、木構造の配電系統は、始点となる配電変電所（ノード）１をノード（番号）０とし、配電線の柱上開閉器や分岐（ノード）２などをノード（番号）１〜１０とし、各ノード１〜１０で区切られた各区間の線路を枝３とする木構造（放射状）で表現される。つまり、木構造の配電系統は、各ノード間の各区間の線路に対する枝とその区間の電圧とその区間の負荷を代表するノードとで表現することができる。なお、図１では、説明の便宜のためにノード番号を付しているが、ノード番号は任意でよい。
【００２８】
ここで、木構造の配電系統における各要素は、以下のように定義される。木構造の配電系統の最も上流のノードであり、１つの木に１つ存在するノードは根ノードである。また、当該ノードの上位（根ノード方向）に枝で接続されたノードは当該ノードの親ノードであり、当該ノードの下位に枝で接続されたノードは当該ノードの子ノードである。また、根ノードから下位の当該ノードへ至るまでに介する枝の数は当該ノードのレベルであり、子ノードを持たないノードは葉ノードである。また、当該ノードから根ノード方向は上位であり、当該ノードから葉ノード方向は下位である。
【００２９】
図１の配電系統の構成例では、ノード０は根ノードであり、根ノード０に枝３で接続されているノード１，２，３の親ノードは根ノードであり、ノード４，５，６の親ノードはノード１であり、ノード７の親ノードはノード２であり、ノード８，９の親ノードはノード５であり、ノード１０の親ノードはノード７である。また、ノード１の子ノードはノード４，５，６であり、ノード２の子ノードはノード７であり、ノード５の子ノードはノード８，９であり、ノード７の子ノードはノード１０である。
【００３０】
また、ノード１は１つだけの枝３を経て根ノード０に接続されているので、レベル１のノードであり、ノード４は２つの枝３を経て根ノード０に接続されているので、レベル２のノードである。また、ノード３，４，６，８，９，１０は子ノードを持たないので、葉ノードである。なお、ノードは、その母線と同意であるので、以下では、ノード（母線）と記載する。また、以下では、必要に応じてノード（母線）に符号１または２を付し、さらに()付きでノード番号を付して説明する。
【００３１】
図２は、図１の木構造の配電系統の各ノード(母線)のレベルを示す図である。なお、図２において図１と同一あるいは同等部分には同じ符号を付している。
【００３２】
ここで、根ノード（根母線）１であるノード（母線）のレベルは０である。また、ノード（母線）２（１）〜（３）は、１つだけの枝３を介して根ノード（根母線）１に接続されているので、それらのレベルは１であり、ノード（母線）２（４）〜（７）は、２つの枝３を介して根ノード（根母線）１に接続されているので、それらのレベルは２であり、ノード（母線）２（８）〜（９）は、３つの枝３を介して根ノード（根母線）１に接続されているので、それらのレベルは３である。
【００３３】
以上の点を踏まえて、以下、本発明を説明する。
【００３４】
図３は、本発明に係る木構造の配電系統電圧分布計算装置の一実施形態を示すブロック図である。
【００３５】
本実施形態の木構造の配電系統電圧分布計算装置は、入力部４、記憶部５、演算・判定部６、表示（出力）部７および制御部８を備える。なお、演算・判定部６は、１つあるいはそれより多い数のプロセッサで構成することができる。また、演算・判定部６は、ハードウエアで構成されてもソフトウエアで構成されてもよい。
【００３６】
入力部４は、配電系統の接続形態、各ノード(母線)２のノードレベル、根ノード（根母線）１で基準となる電圧（基準電圧）、各ノード(母線)２の負荷を表す負荷特性値、各枝の線路インピーダンス、収束判定のための閾値などを入力する。
【００３７】
記憶部５は、各ノード（母線）２対応のノード番号の記憶領域や各枝対応の枝番号の記憶領域などを有し、入力部１３から入力される配電系統の接続形態、各ノード（母線）２のノードレベル、根ノード（根母線）１で基準となる電圧（基準電圧）、各ノード（母線）２の負荷特性値、各枝の線路インピーダンス、収束判定のための閾値とお  などを記憶する。また、記憶部５は、演算・判定部６での途中および最終の演算結果や判定結果などを記憶する。さらに、記憶部５は、制御部８の指示に従って初期化を行い、根ノード（根母線）１での基準電圧と同一の電圧あるいは他の任意の値の電圧を根ノード（根母線）１以外の全てのノード（母線）２対応のノード番号の電圧記憶領域に初期電圧値として記憶する。
【００３８】
図４は、図１の木構造の配電系統に対して予め与えられる各種値を示す図である。なお、図４において図１と同一あるいは同等部分には同時符号を付している。
【００３９】
図４において、木構造の配電系統の根ノード（根母線）１は、スラック（スィング）ノード（母線）であり、これに対しては配電線の始点電圧として基準電圧が与えられる。この基準電圧は、振幅情報と位相情報を含む複素数であるが、一般的には、位相を零として、振幅情報だけが与えられる。なお、以下で算出される電流や電圧は、一般的には、振幅情報と位相情報を含む複素数である。
【００４０】
各ノード（母線）２は、枝３で子ノード（母線）２に接続される親ノード（母線）または子ノード（母線）２を持たない葉ノード（母線）２であり、これらの各ノード(母線)２にはその負荷を表す負荷特性値が与えられる。また、各枝３には線路インピーダンスが与えられる。以上の各ノード（母線）２の負荷特性値や枝３の線路インピーダンスは、木構造の配電系統の電圧分布計算に先立って、配電系統の接続形態と共に記憶部５に記憶される。
【００４１】
演算・判定部６は、後述するフローチャートに従って、木構造の配電系統電圧分布の演算や収束判定を行う。
【００４２】
具体的には、演算・判定部６は、まず、各ノード（母線）２対応のノード番号の電圧記憶領域に記憶されている電圧と入力部４から入力されて各ノード（母線）２対応のノード番号の負荷特性値記憶領域に記憶されている負荷特性値とから各ノード（母線）２の負荷電流を計算し、これにより計算された負荷電流を各ノード（母線）２対応のノード番の負荷電流記憶領域に記憶させる。
【００４３】
また、演算・判定部６は、各ノード（母線）２の負荷電流を、当該ノード（母線）と当該ノード（母線）の親ノード（母線)との間の枝３の枝電流として割り当て、さらに、各ノード番号のレベル記憶領域に記憶されているレベル値の高い順のノード（母線）から、当該ノード（母線）と当該ノード（母線）の親ノード（母線）との間の枝３に割り当てられた枝電流を、当該ノード（母線）の親ノード（母線）対応の親ノード番号の枝電流記憶領域に記憶されている枝電流に加算する。
【００４４】
さらに、演算・判定部６は、各ノード番号のレベル記憶領域に記憶されているレベル値の低い順のノード（母線）から、当該ノード（母線）の親ノード（母線）対応の親ノード番号の電圧記憶領域に記憶されている電圧と当該ノード（母線）と当該ノード（母線）の親ノード（母線）との間の枝電流である当該ノード（母線）番号の枝電流記憶領域に記憶されている枝電流と線路インピーダンス記憶領域に記憶されている線路インピーダンスとから、当該ノード（母線）の電圧を計算し、これにより計算された電圧の値を当該ノード（母線）対応のノード番号の電圧記憶領域に記憶させる。
【００４５】
演算・判定部６は、以上の計算を、全てあるいは特定のノード（母線）対応のノード番号の電圧記憶領域に記憶された電圧とそれより前に記憶された電圧との変化幅が所定の閾値より小さくなるまで、つまり、電圧が収束するまで繰り返し実行する。
【００４６】
表示（出力）部７は、演算・判定部８での演算結果を表示（出力）する。また、制御部８は、木構造の配電系統電圧分布計算装置全体を制御する。
【００４７】
図５は、図３の木構造の配電系統電圧分布計算装置の動作を示すフローチャートである。
【００４８】
図５のフローチャートに従って演算を実行することにより各ノード（母線）２の電圧分布を計算することができ、さらに、各枝３の枝電流を計算することができる。
【００４９】
図５において、まず、Ｓ１０１（電圧初期化）で、予め基準電圧が与えられているスラックノード（母線）１以外のノード（母線）２に初期電圧を与える。この初期電圧は、スラックノード（母線）に与えられた基準電圧でよく、他の任意の値の電圧でもよい。この初期電圧は、振幅情報と位相情報を含む複素数でよいが、上述したように、一般的には、振幅情報だけを与える。
【００５０】
次のＳ１０２（負荷電流の計算）では、根ノード（母線）１を親ノード(母線)とするノード(母線)２から葉ノード（母線）２まで、各ノード（母線）２における初期電圧と負荷特性値とから各ノード（母線）２における負荷電流を計算する。この負荷電流の計算の手法については後で詳細に説明する。
【００５１】
次のＳ１０３（枝電流への負荷電流の割当）では、Ｓ１０２で計算された各ノード（母線）２の負荷電流を、当該ノード（母線）２と当該ノード（母線）２の親ノード（母線）との間の枝３の枝電流として割り当てる。
【００５２】
次のＳ１０４（枝電流の計算）では、各枝３の枝電流を計算する。この枝電流は、当該ノード（母線）２と当該ノード（母線）２の親ノード(母線)との間の枝３に割り当てられた枝電流を、当該ノード（母線）２と当該親ノード（母線）２の親ノード（母線）との間の枝３の枝電流に加算するという処理を、葉ノード（母線）であるノード（母線）２から上位方向に根ノード（母線）１まで順次実行することで計算することができる。
【００５３】
Ｓ１０４（枝電流の計算）では、葉ノード（葉母線）２から根ノード（根母線）１方向に順に計算を行う。このように、Ｓ１０４（枝電流の計算）では計算する順序が決まっているが、その計算の順序は、木構造のレベルの制約さえ満たせばよい。
【００５４】
ここで、下位に接続するノード（母線）の枝３の枝電流を上位に接続するノード（母線）の枝３の枝電流に加算する場合、図２の最も高いレベル３のノード（母線）２（８），（９），（１０）に接続する枝３の枝電流からレベル２のノード（母線）２（４），（５），（６），（７）に接続する枝３の枝電流を計算し、さらに、レベル１のノード（母線）２（１），（２），（３）に接続する枝３の枝電流を計算するというように、各ノード（母線）をレベルの高い順にソートして枝電流を計算するようにすれば、木構造を有効に利用して効率的に枝電流を計算することができる。
【００５５】
次のＳ１０５（電圧の計算）では、各ノード（母線）２の電圧を計算する。各ノード（母線）２の電圧は、当該ノード（母線）とその親ノード（母線）との間の枝３に予め与えられた線路インピーダンスと枝電流と親ノード（母線）の電圧とから当該ノード（母線）の電圧を計算するという処理を、基準電圧が与えられている根ノード（母線）１を親ノード（母線）とするノード（母線）から葉ノード（母線）まで実行することで計算することができる。
【００５６】
Ｓ１０５（電圧の計算）では、根ノード（根母線）から葉ノード（葉母線）方向に順に計算を行う。このように、Ｓ１０５（電圧の計算）では計算する順序が決まっているが、その計算の順序は、木構造のレベルの制約さえ満たせばよい。ここで、レベルの低いレベル１のノード（母線）２（１），（２），（３）からレベル２のノード（母線）２（４），（５），（６），（７）へ、さらに、レベル２のノード（母線）２（４），（５），（６），（７）からレベル３のノード（母線）２（８），（９），（１０）へと計算を行うというように、各ノード（母線）をレベルの低い順にソートして電圧を計算するようにすれば、木構造を有効に利用して効率的に電圧を計算することができる。
【００５７】
次に、Ｓ１０６（電圧収束の判定）では、Ｓ１０５（電圧の計算）で計算された電圧が収束しているかどうかを判定する。例えば、Ｓ１０５（電圧の計算）で計算された電圧と以前に計算された電圧の変化幅を計算し、その変化幅を閾値と比較することで、これを判定することができる。そして、その変化幅が閾値より小さければ、Ｓ１０５（電圧の計算）で計算された電圧が収束していると判定する。Ｓ１０５（電圧の計算）で計算された電圧が収束していると判定された場合には、その演算結果を出力して処理を終了するが、そうでなければ、Ｓ１０５（電圧の計算）で計算された電圧を各ノード（母線）に与えてＳ１０２からの処理を繰り返す。
【００５８】
以上により、各ノード（母線）２の電圧分布を計算することができ、また、各枝３の枝電流を計算することができる。なお、Ｓ１０２（負荷電流の計算）〜Ｓ１０５（電圧の計算）での計算およびＳ１０６（電圧収束の判定）での判定は、演算・判定部６で実行することができる。したがって、演算・判定部６は、負荷電流計算手段、枝電流へ負荷電流を割り当てる割当手段、枝電流計算手段、電圧計算手段および収束判定手段として機能する。
【００５９】
次に、Ｓ１０２（負荷電流の計算）での負荷電流の計算の手法について説明する。
【００６０】
Ｓ１０２（負荷電流の計算）では、Ｓ１０１（電圧初期化）で与えられた初期電圧またはＳ１０５（電圧の計算）で計算された各ノード（母線）２の電圧と各ノード（母線）２に予め与えられた負荷特性値とから各ノード(母線)２の負荷電流を計算する。
【００６１】
各ノード（母線）２に予め与えられた負荷特性値は、複素電力値で与えられる定電力特性値Ｐ＋ｊＱと、複素インピーダンス値で与えられる定インピーダンス特性値Ｒ＋ｊＸと、複素電流値で与えられる定電流特性値Ｉｒ＋ｊＩｍと、電源特性として複素電力値で与えられる定電力電源特性値−Ｐ−ｊＱと、複素電流で与えられる定電流電源特性値−Ｉｒ−ｊＩｍ、の５つの特性値を含み、ノード(母線)２の電圧をＶとすると、負荷電流Ｉｌは、式（１）で計算することができる。
【００６２】
ここで、Ｖ＊は、Ｖの共役を表している。なお、定電力電源特性値および定電流電源特性値は、定電力特性値および定電流特性値と符号が逆になっているだけである。
式（１）・・・
【００６３】
Ｉｌ＝（Ｐ＋ｊＱ）／Ｖ＊
Ｉｌ＝Ｖ／（Ｒ＋ｊＸ）
Ｉｌ＝Ｉｒ＋ｊＩｍ
Ｉｌ＝（−Ｐ−ｊＱ）／Ｖ＊
Ｉｌ＝−Ｉｒ−ｊＩｍ
【００６４】
ノード（母線）２の負荷特性は、１つのノード（母線）に対して５つの負荷特性の何れか１つ、複数または全てであるか、あるいは負荷特性がない場合がある。すなわち、１つのノード（母線）２は、５つの負荷特性のうちの少なくとも何れか１つの負荷特性を持つか、何れの負荷特性も持たない場合がある。Ｓ１０２（負荷電流の計算）で計算される負荷電流は、ノード（母線）２の電圧とそこに与えられた負荷特性値から計算された負荷電流の合計となる。これにより、図９に示す各負荷特性や各種分散電源を表現することができ、また、線間に挿入されて無効電力を制御する静止型無効電力補償装置（ＳＶＣ：Ｓｔａｔｉｃ Ｖａｒ Ｃｏｍｐｅｎｓａｔｏｒ）なども表現することができる。
【００６５】
以上では電圧調整装置（ＳＶＲ）を考慮していないが、以下では、電圧調整装置（ＳＶＲ）を考慮した場合の木構造の配電系統電圧分布計算の手法について説明する。この手法は、基本的に、図５に従う手法と同じであるので、図５を参照して説明する。
【００６６】
図６は、電圧調整装置（ＳＶＲ）を考慮した場合の配電系統の構成を示す。ここでは、電圧調整装置（ＳＶＲ）９を考慮したノード（母線）２間の枝部分だけの構成を示している。
【００６７】
電圧調整装置（ＳＶＲ）９は、対子ノード（母線）２ａ、対親ノード（母線）２ｂおよび対子ノード（母線）２ａと対親ノード（母線）２ｂとの間の枝３ｂとで表すことができ、枝３ａ，３ｃによりノード（母線）２，２の間に挿入される。
【００６８】
対子ノード（母線）２ａは負荷特性値が零であり、その代わりに、ここには電圧調整のための電圧比αを設定する。また、枝３ｂには線路インピーダンスの代わりに電圧調整装置（ＳＶＲ）９の配電線に直列に挿入される直列インピーダンスを設定し、対親ノード(母線)２ｂには負荷特性値の代わりに電圧調整装置（ＳＶＲ）９の線間に挿入される並列インピーダンスを設定する。
【００６９】
この構成において、Ｓ１０２（負荷電流の計算）では、対子ノード（母線）２ａの負荷特性値が零であるので、その負荷電流を零とする。また、対親ノード（母線）２ｂでは、負荷特性値の代わりに設定された並列インピーダンスにより負荷電流を計算する。
【００７０】
また、Ｓ１０３（枝電流への負荷電流の割当）では、対親ノード（母線）２ｂに設定された並列インピーダンスにより計算された負荷電流を枝３ｃに割り当てる。
【００７１】
Ｓ１０４（枝電流の計算）では、枝３ｂの電流は、枝３ａの電流と変圧比αから（枝３ｂの電流）＝α・（枝３ａの電流）で計算する。また、枝３ｃの電流は、対親ノード(母線)２ｂの負荷電流と枝３ｂの電流から（枝３ｃの電流）＝（対親ノード(母線)２ｂの負荷電流）＋（枝３ｂの電流）で計算する。
【００７２】
Ｓ１０５（電圧の計算）では、対子ノード（母線）２ａの電圧は、枝３ｂの直列インピーダンスと枝３ｂの電流と対親ノード（母線）の電圧と変圧比αから（対子ノード(母線)２の電圧）＝α・｛（対親ノード(母線)２の電圧）−（枝３ｂの直列インピーダンス）・（枝３ｂの電流）｝で計算する。
【００７３】
図７は、本発明の配電系統電圧分布計算手法の適用事例を示し、同図（ａ）は、本適用事例での配電系統を示し、同図（ｂ）は、ノード（母線）２（３），（５），（７），（９）の負荷特性の設定値と演算値を示す。ここで、両者の値は同じになっているが、設定値は、各ノードに予め設定した負荷特性値であり，演算値は、本手法で繰返し計算し収束した結果の値である。
【００７４】
ここでは、ノード（母線）２（３）は、定インピーダンス特性の負荷特性を持ち、ノード（母線）２（５）は、定電力特性の負荷特性を持ち、ノード（母線）２（７）は、定電流特性と定電力特性の２つの負荷特性を持ち、ノード（母線）２（９）は、定電力特性の負荷特性を持つ。
【００７５】
図８は、本発明の配電系統電圧分布計算手法と一般的な電力潮流計算手法とで得られた電圧分布の比較結果を示し、同図（ａ），（ｂ）はそれぞれ、図６の電圧調整装置（ＳＶＲ）を考慮しない場合と電圧調整装置（ＳＶＲ）を考慮した場合である。ここでは、ノード（母線）２（４）を電圧調整装置（ＳＶＲ）に置き換えて対親ノード２（ノード４ＳＶＲ前）と対子ノード２（ノード４ＳＶＲ後）としている。なお、一般的な潮流計算とは電力量を潮流とする潮流計算の手法を指し、この手法には、特許文献１における手法も含まれるが、この一般的な潮流計算の手法では、定電力負荷以外の負荷特性を扱うことができないので、ここでは、定電力負荷に換算している。また、ここでは、電圧を相電圧で計算している。
【００７６】
すなわち、一般的な潮流計算では定電力負荷以外の負荷の計算ができないので、図７に示されるように、本発明の手法により収束した負荷特性（図7（ｂ）の演算値）が図７（ｂ）の設定値と同じとなることを利用し、本発明の手法により収束した各ノードの電圧を使用し各ノードの負荷を定電力負荷として割り戻し、この定電力負荷を各ノードに再設定（各ノードの電圧は不明として）してから、一般的な潮流計算を適用して各ノード電圧を算出した。
これにより算出された各ノード電圧は、図８に示されるように、本発明の手法により計算された電圧と一致するので、本発明の手法は、種々の負荷特性を与えても定電力負荷として与えるのと同様に潮流計算が可能であることが分かる。ＳＶＲを考慮しても同様である。
このように、本発明の手法によれば、従来の潮流計算と同等の電圧分布（同じ値となる）を導出することができ、また、従来の潮流計算では取り扱うことができない負荷特性を混合しても電圧分布を算出することができる。 
【００７７】
以上、実施形態について説明したが、本発明は、上記実施形態に限られるものでなく、種々に変更されたものを含む。
【００７８】
例えば、上記実施形態では、本発明を木構造の配電系統電圧分布計算装置として実現しているが、本発明は、木構造の配電系統電圧分布計算装置における処理のステップを順次実行する木構造の配電系統電圧分布計算方法として実現することができ、また、コンピュータを木構造の配電系統電圧分布計算装置における各手段として機能させるプログラムとしても実現することができる。
【００７９】
また、上記実施形態の図５の動作では、Ｓ１０３（枝電流への負荷電流の割当）を個別の処理としているが、（枝電流への負荷電流の割当）の処理は、Ｓ１０２（負荷電流の計算）の処理の中に含ませることができるし、Ｓ１０４（枝電流の計算）処理の中に含ませることもできる。また、Ｓ１０６（電圧収束の判定）では、以前に計算された電圧からの電圧変化幅が閾値より小さくなったとき、各ノード（母線）の電圧が収束したと判定するようにしているが、ここでは、各ノード（母線）の枝電流とそれより前に計算された各ノード（母線）の枝電流との変化幅が所定の閾値より小さくなったとき、あるいは各ノード（母線）の電圧、各ノード（母線）の負荷電流または各ノード（母線）の枝電流と所定の設定値との誤差が所定の閾値より小さくなったとき、各ノード（母線）の電圧が収束したと判定するようにすることもできる。また、予め与えられた負荷特性値と同じノード（母線）の電圧と負荷電流とから計算される負荷特性値とを比較し、その誤差が所定の閾値より小さくなったとき、各ノード（母線）の電圧が収束したと判定するようにすることもできる。これらの場合において、全てのノード（母線）についての比較が閾値より小さくなったことを判定するようにしてもよいし、特定のノード（母線）についての比較が閾値より小さくなったことを判定するようにしてもよい。
【符号の説明】
【００８０】
1，２・・・ノード（母線）
３・・・枝
４・・・入力部
５・・・記憶部
６・・・演算・判定部
７・・・表示（出力）部
８・・・制御部
【図１】
2019176586.tif 000003
【図２】
2019176586.tif 000004
【図３】
2019176586.tif 000005
【図４】
2019176586.tif 000006
【図５】
2019176586.tif 000007
【図６】
2019176586.tif 000008
【図７】
2019176586.tif 000009
【図８】
2019176586.tif 000010
【図９】
2019176586.tif 000011